(57)【特許請求の範囲】
【請求項１】
矩形の金属板が複数回長手方向に沿って折り曲げられて構成されるパチンコ機の外枠用縦枠材において、
前記金属板は、短手方向両端の一端側縁部と他端側縁部とが一側に集合させられ、かつ長手方向に沿って内向きに折り返されるとともに、短手方向の所定位置から長手方向に沿って折り返され、重ね合わされることによって２枚重ね部位が形成され、
前記２枚重ね部位は、間に空間を有する空隙部と面接触している接触部とからなる塑性加工部を有している、
ことを特徴とするパチンコ機の外枠用縦枠材。
【請求項２】
前記２枚重ね部位の塑性加工部は、少なくとも一方の表面において、前記接触部を前記空隙部が囲んだ形態である、
ことを特徴とする請求項１に記載のパチンコ機の外枠用縦枠材。
【請求項３】
前記金属板の一端側縁部と他端側縁部とは、当接されるとともに重ね合わされている、
ことを特徴とする請求項１又は請求項２に記載のパチンコ機の外枠用縦枠材。
【請求項４】
前記接触部の少なくとも１箇所又は、前記一端側縁部と他端側縁部とからなる両端側縁部同士の少なくとも一方が機械的接合若しくは冶金的接合されている、
ことを特徴とする請求項１から請求項３の何れか１つに記載のパチンコ機の外枠用縦枠材。
【請求項５】
請求項１から請求項４のいずれか１項に記載のパチンコ機の外枠用縦枠材を、縦枠材として用いることを特徴とするパチンコ機用外枠。
【発明の詳細な説明】
【技術分野】
【０００１】
本発明は、パチンコ機の外枠用縦枠材及びこれを用いたパチンコ機用外枠に関する。
【背景技術】
【０００２】
一般に、パチンコ機は遊技盤とともに、前枠と外枠とで構成されている。パチンコ機の前枠には、遊技盤等が取り付けられる。遊技盤の表側には、各種の入賞口や役物（センター役物）等が設けられ、裏側には、制御装置、パチンコ球供給装置等の各種の部品が設けられている。また、パチンコ機の前枠は、外枠の縦枠材に対して一端部を中心にして回動可能に固定され、外枠に対して開閉できるようにされている。
【０００３】
パチンコ機の外枠は、略水平方向に延びる上下一対の横枠材と、略鉛直方向に延びる左右一対の縦枠材とが結合され、全体として四角枠状に形成される。この外枠は、パチンコホールにおいて、「島」と称されるパチンコ機グループを設置するための区画された壁部に取り付けられる。
【０００４】
近年、パチンコ機の外枠には、木材に替えて、リサイクルや薄肉化の要請により金属が使用される傾向がある。また、遊技盤に設けられる役物（センター役物）等が大きくなり、それに伴って遊技盤の裏側に設けられる各種の部品も大きくなっているため、強度向上が求められている。さらに、軽量化も要請されている。なお、従来のパチンコ機の外枠に係る発明は、その一例として下記特許文献１を示すことができる。
【先行技術文献】
【特許文献】
【０００５】
【特許文献１】特開２００６−３２６１８０号公報
【０００６】
上記特許文献１にて提案されたパチンコ機の外枠は、ほぼ矩形状をなし、遊技盤が取り付けられる前枠がその一縁部を中心に回動可能に取り付けられるパチンコ機の外枠であって、ほぼ水平方向に延びる上下一対の横枠材が木質材料によって形成され、ほぼ鉛直方向に延びる左右一対の縦枠材が、それぞれ２枚の金属板によって中空構造に形成され、これら２枚の金属板をビスによって結合する構成である。
【発明の概要】
【発明が解決しようとする課題】
【０００７】
しかし、上記特許文献１にて提案されたパチンコ機の外枠では、左右一対の縦枠材のそれぞれが２枚の薄い金属板をビスによって結合して形成されるため、縦枠材の組立て作業が煩雑であるだけでなく、ビスがパチンコ機内に混入するとパチンコ機の電気的故障の原因にもなる等の課題があった。また、上記特許文献１にて提案されたパチンコ機の外枠では、中空構造の存在によって軽量化（薄肉化）が達成されているものと推察されるが、その中空構造が存在することにより、パチンコ機の外枠用縦枠材及びパチンコ機用外枠として使用するには、大型化した遊技機の役物（センター役物）等の重量による撓み、捻れ等に弱く、強度の点において大型化した遊技機の重量に耐えられるか否か疑問を呈する、という問題もあった。
【０００８】
本発明は、上記実情を解決するために提案されたもので、薄い金属板を使って、少ない工数で組立てることができ、大型化した遊技機の役物（センター役物）等の重量をはじめ、外部からの応力に対抗するために要請される強度を十分に備え、かつ、ビスを使わずに作業することができるようにし、さらに、その強度向上によってバールなどによる遊技機のこじ開けを困難としたり、前面枠との間の多様な取付構造を構築可能にしてピアノ線等による遊技機取付内部への侵入を困難としたりして、不正解錠防止にも寄与するパチンコ機の外枠用縦枠材と、これを用いたパチンコ機用外枠を提供することを目的とする。
【課題を解決するための手段】
【０００９】
上記目的を達成するため、本発明は、矩形の金属板が複数回長手方向に沿って折り曲げられて構成されるパチンコ機の外枠用縦枠材において、前記金属板は、短手方向両端の一端側縁部と他端側縁部とが一側に集合させられ、かつ長手方向に沿って内向きに折り返されるとともに、短手方向の所定位置から長手方向に沿って折り返され、重ね合わされることによって２枚重ね部位が形成され、前記２枚重ね部位は、間に空間を有する空隙部と面接触している接触部とからなる塑性加工部を有していることを特徴とする。
【００１０】
特に、２枚重ね部位の塑性加工部は、少なくとも一方の表面において、接触部を空隙部が囲んだ形態であることが好ましい。
【００１１】
また、本発明は、金属板の一端側縁部と他端側縁部とが、当接されるとともに重ね合わされていることがさらに好ましく、接触部の少なくとも１箇所又は、一端側縁部と他端側縁部とからなる両端側縁部同士の少なくとも一方が、機械的接合若しくは冶金的接合されていることも、さらに好ましい。
【００１２】
そして、本発明に係るパチンコ機用外枠は、上記パチンコ機の外枠用縦枠材を、縦枠材として用いたことを特徴とする。
【発明の効果】
【００１３】
本発明に係るパチンコ機の外枠用縦枠材では、矩形の金属板を複数回長手方向に沿って折り曲げて構成することができ、薄い金属板を使いながら、かつ少ない工数であっても剛性のある構造を提供することができるという利点がある。しかも、短手方向両端の一端側縁部と他端側縁部とを一側に集合させるようにし、かつ長手方向に沿って内向きに折り返えすようにするとともに、短手方向の所定位置から長手方向に沿って折り返して重ね合わせて２枚重ね部位を形成し、この２枚重ね部位を空隙部と接触部とからなる塑性加工部を有するものとする等の構成によって、要請される強度を十分に備えさせることができる。さらに、そのような強度向上により、本発明に係るパチンコ機の外枠用縦枠材を備えた遊戯機台の、バールなどによるこじ開けを困難にすることも期待できる。そして、本発明は、ビスによる結合作業を不要とするものである。
【００１４】
特に、上記２枚重ね部位の塑性加工部を、少なくとも一方の表面において接触部を空隙部が囲む形態とすれば、機械的接合若しくは冶金的接合する接触部の位置が明確になるので、さらに容易にパチンコ機の外枠用縦枠材を構成することができる。また、接触部と空隙部との塑性加工の効果によって更なる強度の向上を見込むことも可能である。
【００１５】
また、金属板の一端側縁部と他端側縁部とを、当接するとともに重ね合わせ、この重ね合わせた両端側縁部同士を機械的接合若しくは冶金的接合すれば、さらに強度を向上させることができる。したがって、要請される強度を十分かつ確実に備えさせることができる。一方、上記金属板の一端側縁部と他端側縁部とを、長手方向に沿って内向きに適宜の角度で折り返した構造とすれば、前面枠との間の多様な取付構造に対応しつつ、ピアノ線等を遊技機取付内部に侵入させることを困難として、不正解錠防止にも役立つものとなる。
【００１６】
このほか本発明では、上記パチンコ機の外枠用縦枠材を縦枠材として用いてパチンコ機の外枠を構成すれば、少ない工数にて構成でき、かつ、強度が十分に確保されたパチンコ機用外枠を提供することができる。さらに、薄い金属板にて成形された本発明の外枠用縦枠材で構成されるということは、従来に比べて厚みが薄くなるため、その分大きな前枠とでパチンコ機を構成することができ、そうすると、多様な種類のある遊技機に幅広く利用できるパチンコ機の外枠としても提供することが可能となる。
【図面の簡単な説明】
【００１７】
【図１】第一実施例に係るパチンコ機用外枠を示す斜視図である。
【図２】図１におけるパチンコ機の外枠用縦枠材を示す斜視図である。
【図３】図２のＡ−Ａ断面図である。
【図４】第二実施例に係るパチンコ機用外枠を示す斜視図である。
【図５】図４におけるパチンコ機の外枠用縦枠材を示す斜視図である。
【図６】図５のＡ−Ａ断面図である。
【図７】第三実施例に係るパチンコ機用外枠を示す斜視図である。
【図８】図７におけるパチンコ機の外枠用縦枠材を示す斜視図である。
【図９】図８のＡ−Ａ断面図である。
【図１０】第四実施例に係るパチンコ機用外枠を示す斜視図である。
【図１１】図１０におけるパチンコ機の外枠用縦枠材を示す斜視図である。
【図１２】図１１のＡ−Ａ断面図である。
【図１３】本発明に係るパチンコ機の外枠用縦枠材に関し、また他の実施形態におけるパチンコ機の外枠用縦枠材のバラエティを、（ａ）〜（ｄ）として概略断面にて示す概略断面図である。
【図１４】第五実施例に係るパチンコ機用外枠を示す一部破断斜視図である。
【図１５】図１３におけるパチンコ機外枠を構成する外枠用縦枠材の要部を拡大して説明する要部拡大断面図である。
【図１６】第五実施例の他の外枠用縦枠材の要部を拡大して説明する要部拡大断面図である。
【図１７】第五実施例のさらに外枠用縦枠材の要部を説明する説明図である。
【発明を実施するための形態】
【００１８】
以下、本発明に係るいくつかの実施形態を図面に基づいて詳細に説明する。
【００１９】
（第一実施形態）
第一実施形態におけるパチンコ機用外枠１Ａは、図１に示すように、略水平方向に延びる上下一対の横枠材２と、略鉛直方向に延びる左右一対の外枠用縦枠材３Ａとから構成される枠体である。なお、パチンコ機用外枠１Ａの４隅の少なくとも１つには、略直角に折り曲げられた金属板状の結合具４１，４２が用いられている。この結合具４１，４２の略直角とは、横枠材２と外枠用縦枠材３Ａとの接合において、外枠用縦枠材３Ａの長手方向端面を横枠材２の長手方向端部の内面に当接し、相互に直角に配置することができることを意味している。
【００２０】
また、第一実施形態におけるパチンコ機用外枠１Ａを構成する外枠用縦枠材３Ａには、その一方に被係止部材５が設けられている。被係止部材５は、ビス孔５ｃが形成された板状の被取付部５ａと被係止部５ｂとを有し、組立時に、前枠（図示省略）が係止部材を介して被取付部５ａに取付けられるものである。このほか、横枠材２は、例えば、木質材料で形成されている。
【００２１】
ここで、外枠用縦枠材３Ａは、適宜の成形工程により、図２や図３に示すような形状に成形される。以下の説明における各部の名称に付した符号については、図３が詳しい。
【００２２】
まず、１枚の矩形の金属板１０は、短手方向の一端１１ａから第１の所定幅Ｌ１の位置（折り目１４ａ）にて、外面が山折りとなるように長手方向に沿って略直角に折り曲げられ、一端側縁部１２ａが成形されている。また、一端側縁部１２ａと隣接して短手方向に略直角に延長される部位として、一端側縁部１２ａとの折り目１４ａの位置から第２の所定幅Ｌ２の位置（折り目１４ｂ）にて、外面が谷折りとなるように長手方向に沿って略直角に折り曲げられ、中間部１２ｂが成形されている。
【００２３】
さらに、中間部１２ｂと隣接して短手方向に略直角に延長される部位として、中間部１２ｂとの折り目１４ｂの位置から第３の所定幅Ｌ３の位置（折り目１４ｃ）にて、外面が山折りとなるように略１８０°折り曲げられ、一端側縁部１２ａと平行の内側側部１２ｃが成形されている。また、この内側側部１２ｃと隣接して短手方向に略１８０°折り返され、延長される部位として、内側側部１２ｃとの折り目１４ｃの位置から第４の所定幅Ｌ４の位置（折り目１４ｄ）にて、外面が山折りとなるように長手方向に沿って略直角に折り曲げられ、一端側縁部１２ａ、内側側部１２ｃと平行の外側側部１２ｄが成形されている。
【００２４】
次に、外側側部１２ｄと隣接して短手方向に略直角に延長される部位として、外側側部１２ｄとの折り目１４ｄの位置から第５の所定幅Ｌ５の位置（折り目１４ｅ）にて外面が山折りとなるように長手方向に沿って略直角に折り曲げられ、後側側部１２ｅが成形されている。また、後側側部１２ｅと隣接して短手方向に略直角に延長される部位として、折り目１４ｅから金属板１０の短手方向の他端１１ｂに達して一端側縁部１２ａと当接するように、例えば、重なり合うようにして、他端側縁部１２ｆが成形されている。重ね合わせた一端側縁部１２ａと他端側縁部１２ｆとは、ポンチを上方から押し込んでダイスとの間でかしめ成形加工され、かしめ３０が成形されて両端側縁部同士が結合されている。
【００２５】
このように、外枠用縦枠材３Ａは、矩形の金属板１０が複数回長手方向に沿って折り曲げられるとともに、金属板１０の短手方向両端の一端側縁部１２ａと他端側縁部１２ｆの両端側縁部同士がかしめ３０により結合されて構成されている。さらに、折り目１４ｃから短手方向に略１８０°折り返されることにより、内側側部１２ｃと外側側部１２ｄとから２枚重ね部位３１が構成されるものである。
【００２６】
さらに、外枠用縦枠材３Ａは、図２および図３に示すように、外側側部１２ｄの長手方向に予め、略小判型と略円形の凹みが長手方向に交互に成形されているものが用いられる。そして、上述のように外枠用縦枠材３Ａを構成すれば、これらの凹みがそれぞれ、略小判型の接触部３Ａａ、略円形の接触部３Ａｂとなって内側側部１２ｃと接触するようになる。一方、外側側部１２ｄに予め成形された凹みの周囲は、上述のように外枠用縦枠材３Ａを構成すれば、これら接触部３Ａａ，３Ａｂを囲む空隙部３Ａｃとなる。すなわち、内側側部１２ｃと外側側部１２ｄとから構成される２枚重ね部位３１は、略小判型の接触部３Ａａ、略円形の接触部３Ａｂのみにおいて相互に接触するものとなる。
【００２７】
外枠用縦枠材３Ａは、成形工程の最終工程において、２枚重ね部位３１における接触部３Ａａ，３Ａｂが、ポンチを上方から押し込んでダイスとの間でかしめ成形加工され、かしめ３Ｊが成形されて結合される。なお、かしめ３Ｊの形成は、その接触部３Ａａ，３Ａｂのいずれかでよい。また、接触部３Ａａ，３Ａｂの少なくとも一箇所以上に形成すれば、要請される強度を十分に備えることができる。
【００２８】
このように構成した２枚重ね部位３１は、外枠用縦枠材３Ａの強度を飛躍的に向上させる役割を果たす。すなわち、外枠用縦枠材３Ａに前枠が取り付けられると、前枠に装着されている遊技盤の重量がかかり、撓み変形させる向きの付勢を受ける。これに対し、２枚重ね部位３１の接触部３Ａａ，３Ａｂにてかしめ３Ｊを成形することによって、薄板の金属板１０であっても２枚重ねしたことと相乗し、強度の飛躍的な向上を図ることができるのである。さらに、空隙部３Ａｃについても、接触部３Ａａ，３Ａｂとの間で塑性加工された関係となるので、外側側部１２ｄのさらなる強度の向上が図られている。したがって、外枠用縦枠材３Ａは、上述のように構成されることにより、前枠が取り付けられて撓み変形させる向きの付勢を受けても、これに十分に対抗することができる強度を備えることができる。
【００２９】
また、本実施形態では、矩形の金属板１０を複数回長手方向に沿って折り曲げ、金属板１０の短手方向両端の折り曲げ成形した一端側縁部１２ａと、他端側縁部１２ｆとを当接して（重ね合わせて）構成するため、少ない工数で成形工程を済ますことができるという効果も得られる。ビスによる結合作業も上述のとおりに不要である。金属板１０の一端側縁部１２ａと他端側縁部１２ｆとをかしめ３０により接合しているので強度が更に向上している。そして、外枠用縦枠材３Ａを縦枠材として構成されたパチンコ機用外枠１Ａは、少ない工数にて構成できるものであり、かつ、強度も十分に確保することができるものである。さらに、パチンコ機用外枠１Ａは、薄い金属板にて成形された外枠用縦枠材３Ａが用いられるために、従来に比べて厚みを薄くして構成することができ、その分大きな前枠と、遊技機とでパチンコ機を構成することができる。そうすると、多様な種類のある遊技機に幅広く利用できるパチンコ機の外枠としても提供することが可能となる。
【００３０】
（第二実施形態）
第二実施形態におけるパチンコ機用外枠１Ｂは、図４〜図６に示すとおりであって、第一実施形態と異なるのは、外側側部１２ｄの長手方向に予め成形された凹みを、略円形の形態のみとした点である。そして、第一実施形態と同様にして外枠用縦枠材３Ｂを構成すれば、外側側部１２ｄの長手方向に予め成形された凹みが、２枚重ね部位３１における略円形の接触部３Ｂａとなって、その周囲を空隙部３Ｂｂが囲んだ形態になる。したがって、内側側部１２ｃと外側側部１２ｄとから構成された２枚重ね部位３１は、略円形の接触部３Ｂａのみにて相互に接触し、その接触部３Ｂａにてかしめ３Ｊが成形されることになる。なお、その他の外枠用縦枠材３Ｂの構成に係る成形工程やパチンコ機用外枠１Ｂの構成は、外側側部１２ｄの形態を除けば、第一実施形態と同様である。さらに、外枠用縦枠材３Ｂにおける強度向上の効果も第一実施形態と同等に得ることができる。
【００３１】
（第三実施形態）
第三実施形態におけるパチンコ機用外枠１Ｃは、図７〜図９に示すとおりであって、第一実施形態と異なるのは、外側側部１２ｄの長手方向に予め成形された凹みを、矩形状、さらに詳しくは、長手方向の両端部が幅広に成形された細長いブリッジ状の形態とした点である。そして、第一実施形態と同様にして外枠用縦枠材３Ｃを構成すれば、外側側部１２ｄの長手方向に予め成形された凹みが、２枚重ね部位３１における細長いブリッジ状の接触部３Ｃａとなって、その周囲を空隙部３Ｃｂが囲んだ形態になる。したがって、内側側部１２ｃと外側側部１２ｄとから構成される２枚重ね部位３１は、細長いブリッジ状の接触部３Ｃａにて相互に接触し、その接触部３Ｃａにてかしめ３Ｊが成形されることになる。なお、その他の外枠用縦枠材３Ｃの構成に係る成形工程やパチンコ機用外枠１Ｃの構成は、外側側部１２ｄの形態を除けば、第一実施形態と同様である。さらに、外枠用縦枠材３Ｃにおける強度向上の効果も第一実施形態と同等に得ることができる。
【００３２】
（第四実施形態）
第四実施形態におけるパチンコ機用外枠１Ｅは、図１０〜図１２に示すとおりであって、第一実施形態と異なるのは、外側側部１２ｄの長手方向に予め成形された凹みを、断面に切った蒲鉾のような形状を複数並べた形態とした点である。そして、第一実施形態と同様にして外枠用縦枠材３Ｅを構成すれば、外側側部１２ｄの長手方向に予め成形された凹みが、２枚重ね部位３１における蒲鉾様の形状が複数並んだ接触部３Ｅａとなって、その周囲を空隙部３Ｅｂが囲んだ形態になる。したがって、内側側部１２ｃと外側側部１２ｄとから構成される２枚重ね部位３１は、蒲鉾様の形状が複数並んだ接触部３Ｅａにて相互に接触し、その接触部３Ｅａにてかしめ３Ｊが成形されることになる。なお、その他の外枠用縦枠材３Ｅの構成に係る成形工程やパチンコ機用外枠１Ｅの構成は、外側側部１２ｄの形態を除けば、第一実施形態と同様になる。さらに、外枠用縦枠材３Ｅにおける強度向上の効果も第一実施形態と同等に得ることができる。
【００３３】
以上説明したように、本発明に係る第一乃至第四実施形態はいずれも、矩形の金属板を複数回長手方向に沿って折り曲げ、金属板の短手方向両端の折り曲げ成形した一端側縁部と、他端側縁部とを当接させて構成するため、少ない工数で成形工程を済ますことができる。ビスによる結合作業も不要である。さらに、外枠用縦枠材は、短手方向の所定位置から長手方向に沿って折り返して２枚重ね部位を形成し、この２枚重ね部位を空隙部と接触部とからなるものとし、接触部の少なくとも１箇所をかしめ接合する等の構成によって、要請される強度を十分に備えさせている。また、金属板の一端側縁部と他端側縁部とをかしめ接合しているので強度が更に向上している。そして、上述のようにして成形された外枠用縦枠材を、縦枠材に用いて構成したパチンコ機用外枠は、少ない工数にて構成できるものであり、かつ、強度も十分に確保することができる。
【００３４】
なお、接触部は、上記実施形態を参考にすれば、例えば、略小判型に成形すること、または、略小判型と略円形とが長手方向に沿って交互に成形すること、或いは、略矩形に成形すること等、多様な形態を成形することが可能である。また、例えば、上述した実施形態にて示した形態を組み合わせた場合にも、本発明が得ようとする効果を得ることが可能である。２枚重ね部位は、接触部を空隙部が囲んだ形態とすれば、強度向上とともに、かしめ接合する接触部の位置の明確化、意匠的な効果等の付加価値が付与されることになるので好ましい。
【００３５】
さらに、上記実施形態では、２枚重ね部位３１の接触部３Ａａ，３Ａｂ，３Ｂａ，３Ｃａ，３Ｅａにおける内側側部１２ｃと外側側部１２ｄとの接合に関し、かしめ３Ｊにより接合することを例示して説明したが、遊技盤に設けられる役物等の重量化、外枠用縦枠材の薄肉化によっても要請される強度を十分に備える接合手段であれば、適宜の機械的接合若しくは冶金的接合手段を用いることが可能である。例えば、機械的接合若しくは冶金的接合の具体的な手段としては、機械的接合としてリベット接合や圧入による接合、冶金的接合としてアーク溶接、スポット溶接、シーム溶接、ガス溶接やレーザー溶接等を挙げることができる。
【００３６】
また、上記実施形態では、金属板１０の短手方向両端の折り曲げ成形し、当接させて重ね合わせた一端側縁部１２ａと他端側縁部１２ｆとの接合について、かしめ３０により接合することを例示して説明したが、遊技盤に設けられる役物等の重量化、外枠用縦枠材の薄肉化によっても要請される強度を十分に備える接合手段であれば、内側側部と外側側部との接合手段と同様に、適宜の機械的接合若しくは冶金的接合手段を用いることが可能である。例えば、機械的接合若しくは冶金的接合の具体的な手段としては、例えば、機械的接合若しくは冶金的接合の具体的な手段としては、機械的接合としてリベット接合や圧入による接合、冶金的接合としてアーク溶接、スポット溶接、シーム溶接、ガス溶接やレーザー溶接等を挙げることができる。
【００３７】
ここで、本発明は、図１３（ａ）〜（ｄ）に示すような実施形態を含み、金属板１０の短手方向両端の折り曲げ成形し、当接させて重ね合わせた一端側縁部１２ａと他端側縁部１２ｆの形態にバリエーションを持たせることも可能である。
【００３８】
図１３（ａ）では、一端側縁部１２ａを、中間部１２ｂに対して折り目１４ａにて内向きに鋭角（すなわち、９０度以下の角度になるよう）に折り返して形成するとともに、他端側縁部１２ｆを、後側側部１２ｅに対して折り目１４ｅにて内向きに鈍角（すなわち、９０度以上の角度になるよう）に折り返して形成した上で、一端側縁部１２ａと他端側縁部１２ｆとを重ね合わせている。図１３（ｂ）では、一端側縁部１２ａを、中間部１２ｂに対して折り目１４ａにて内向きに鋭角（すなわち、９０度以下の角度になるよう）に折り返して形成するとともに、他端側縁部１２ｆを、後側側部１２ｅに対して折り目１４ｅにて一端、略直角に折り曲げて形成した後、その先端部を内向きに鈍角（すなわち、後側側部１２ｅに対して９０度以上の角度になるよう）に折り返した上で、一端側縁部１２ａと他端側縁部１２ｆの先端部とを重ね合わせている。
【００３９】
図１３（ｃ）では、一端側縁部１２ａを、中間部１２ｂに対して折り目１４ａにて内向きに鈍角（すなわち、９０度以上の角度になるよう）に折り返して形成するとともに、他端側縁部１２ｆを、後側側部１２ｅに対して折り目１４ｅにて内向きに鋭角（すなわち、９０度以下の角度になるよう）に折り返して形成した上で、一端側縁部１２ａと他端側縁部１２ｆとを重ね合わせている。図１３（ｄ）では、一端側縁部１２ａを、中間部１２ｂに対して一端、略直角に折り曲げて形成した後、その先端部を内向きに鈍角（すなわち、中間部１２ｂに対して９０度以上の角度になるよう）に折り返すとともに、他端側縁部１２ｆを、後側側部１２ｅに対して折り目１４ｅにて内向きに鋭角（すなわち、９０度以下の角度になるよう）に折り返して形成した上で、一端側縁部１２ａの先端部と他端側縁部１２ｆとを重ね合わせている。
【００４０】
なお、図１３において図示を省略したが、重ね合わせた一端側縁部１２ａと他端側縁部１２ｆとの接合は、かしめのほか、遊技盤に設けられる役物等の重量化、外枠用縦枠材の薄肉化によっても要請される強度を十分に備える接合手段として、適宜の機械的接合若しくは冶金的接合手段を用いればよい。
【００４１】
（第五実施形態）
また、本発明は、図１４〜図１７に示すような第五実施形態に係る外枠用縦枠材３Ｆの構成、すなわち、矩形の金属板１０の一端側縁部としての一端内向部１５ａと、他端側縁部としての他端内向部１５ｆとが、短手方向の長手方向に沿って内向きに折り返された構造を有する構成を含む。具体的には、例えば、図１５に示すように、外枠用縦枠材３Ｆは、一端内向部１５ａと他端内向部１５ｆとが一側に集合していて、この一端内向部１５ａと、他端内向部１５ｆとが、長手方向に沿って内向きかつ９０度〜１８０度の範囲で折り返されている構造であり、この折り返された部位にて、前面枠７との間の多様な取付状態（取付構造）を可能とするものである。これにより、外枠用縦枠材３Ｆを採用したパチンコ機用外枠１Ｆでは、ピアノ線等を遊技機取付内部に侵入させることを困難として不正解錠防止に資する、という更なる付加価値が付与される。
【００４２】
なお、本実施形態に係る外枠用縦枠材３Ｆにおけるその他の構成は、金属板１０が複数回長手方向に沿って折り曲げられるとともに、短手方向の所定位置から長手方向に沿って折り返されることによって２枚重ね部位３１が形成され、２枚重ね部位３１の接触部にかしめ３Ｊが成形されることにおいて上記第一実施形態乃至第四実施形態と同様である。また、２枚重ね部位３１の形態を、上記第一実施形態乃至第四実施形態のいずれか、或いは、その組み合わせ、更には、略小判型に成形すること、略小判型と略円形とが長手方向に沿って交互に成形すること、或いは、略矩形に成形すること等、多様ものとすることが可能で、少なくとも接触部を空隙部が囲んだ形態とし、強度向上とともに、かしめ接合する接触部の位置の明確化等の付加価値が付与されるようにすればよい。
【００４３】
また、図１４に示すように、本実施形態の外枠用縦枠材３Ｆ（３Ｆａ）では、パチンコ機用外枠１Ｆの組立に用いる際、金属板１０の一端内向部１５ａと、他端内向部１５ｆとが集合する一側を、パチンコ機用外枠１Ｆの正面側に位置するようにしている。これは、一端内向部１５ａと他端内向部１５ｆとが長手方向に沿って内向きに折り返された部位にて、前面枠７との間で多様な取付状態（取付構造）を形成させるためである。このことは、例えば、図１、図４、図７、図１０等と対比することによっても理解されるところである。
【００４４】
以下、外枠用縦枠材３Ｆの構造に関し、図１５〜図１７を特に参照しつつ、いくつかを例示して説明する。 なお、便宜のために、一端内向部１５ａと他端内向部１５ｆと、その周辺の前面枠７との間の多様な取付状態（取付構造）を可能とする金属板１０の折部を含めた領域を嵌合部（１５１，１５３）又は当接部（１５２，１５４，１５４，１５６）と称して以下に説明するものである。
【００４５】
まず、図１４および図１５に示されるような外枠用縦枠材３Ｆａでは、金属板１０の一端内向部１５ａと他端内向部１５ｆとがそれぞれ、折り目１６ａ，１６ｂにて内向きの角度を約１３５度として対称に折り返された嵌合部１５１の構造を有している。一方、前面枠７の取付凸部７１は、前面枠７が加工されて形成される取付凸部７１ａであり、一端内向部１５ａと他端内向部１５ｆが内向きに折り返された構造に嵌合できる形態を有している。
【００４６】
外枠用縦枠材３Ｆａの嵌合部１５１は、図１５に示されるように、折り目１６ａにて内向きの角度を約１３５度としてとなるように長手方向に沿って折り曲げられて成形される一端内向部１５ａと、この一端内向部１５ａと隣接して短手方向に、２枚重ね部位３１の内側（図１５において左側）に形成されている略小判型、略円形、略矩形等の接触部の外縁まで延長され、２枚重ね部位３１と平行になるように成形される内側側部１５ｂと、この２枚重ね部位３１における内側の接触部の外縁から、この接触部の底縁までの部位である第１段部１５ｃと、この第１段部１５ｃと２枚重ね部位３１を介してほぼ対称となる部位であって、２枚重ね部位３１の外側（図１５において右側）の接触部の外縁から、この接触部の底縁までの部位である第２段部１５ｄと、この第２段部１５ｄと隣接して短手方向に、２枚重ね部位３１における外側の接触部の外縁から折り目１６ｂまで延長され、２枚重ね部位３１と平行に成形される外側側部１５ｅと、この外側側部１５ｅと隣接して短手方向に延長され、折り目１６ｂにて内向きの角度を約１３５度となるように長手方向に沿って折り曲げられて成形される他端内向部１５ｆとからなる構造である。
【００４７】
また、図１６に示されるような他の外枠用縦枠材３Ｆｂでは、金属板１０の一端内向部１５ａが折り目１６ａにて、内向きの角度を約１３５度として折り返されて形成される構造を有し、また、他端内向部１５ｆが折り目１６ｂにて、金属板１０の他端１１ｂに丸みを帯びさせつつ内向きの角度を約９０度として折り返された当接部１５２の構造を有している。一方、前面枠７の取付凸部７１は、前面枠７にゴム等の弾性部材を接着させて形成する取付凸部７１ｂであり、一端内向部１５ａの折り返された部位（折り目１６ａ）に弾性部材が当接し、他端内向部１５ｆの内向きに約９０度折り返された部位に前面枠７の裏面が当接することにより、外枠用縦枠材３Ｆｂと前面枠７との取付状態が形成されるものである。
【００４８】
外枠用縦枠材３Ｆｂの当接部１５２は、図１６に示されるように、折り目１６ａにて内向きの角度を約１３５度としてとなるように長手方向に沿って折り曲げられて成形される一端内向部１５ａと、この一端内向部１５ａと隣接して短手方向に延長される部位であって、２枚重ね部位３１における内側（図１６において左側）の接触部の外縁から、この接触部の底縁までの部位である第１段部１５ｃと、折り目１６ｂにて他端１１ｂに丸みを帯びさせつつ内向きの角度を約９０度として折り曲げられて成形される他端内向部１５ｆと、この他端内向部１５ｆと隣接して短手方向に、２枚重ね部位３１の外側（図１６において右側）の接触部の外縁まで延長され、２枚重ね部位３１と平行に成形される外側側部１５ｅと、この２枚重ね部位３１における外側の接触部の外縁から、この接触部の底縁までの部位である第２段部１５ｄとからなる構造である。
【００４９】
このほか、外枠用縦枠材３Ｆは、図１７に示すように、前面枠７の取り付け凸部７１の大きさ又はその形態に対応させるべく、さらには、２枚重ね部位３１において絞って形成される略小判型、略円形、略矩形等の接触部に対応させるべく、嵌合部又は当接部の構造を適宜成形すればよい。例えば、図１７（ａ）に示すように、図１５に示されるような外枠用縦枠材３Ｆａの嵌合部１５１の幅を大きくした、すなわち一端内向部１５ａと他端内向部１５ｆの内向きに折り返された部位の間の幅を大きくした嵌合部１５３とした外枠用縦枠材３Ｆｃとしてもよく、図１７（ｂ）に示すように、図１７（ａ）の外枠用縦枠材３Ｆｃの嵌合部１５３における内側側部１５ｂ、第１段部１５ｃ、第２段部１５ｄおよび外側側部１５ｅを２枚重ね部位３１において絞って形成される略小判型、略円形、略矩形等の接触部に対応させた形態とするとともに、他端内向部１５ｆを、内向きの角度を約９０度として折り返し、この折り返した部位に丸みを帯びさせた当接部１５４とした外枠用縦枠材３Ｆｄとしてもよく、図１７（ｃ）に示すように、前面枠７の取り付け凸部７１の大きさ又はその形態に対応させるべく、図１５に示されるような外枠用縦枠材３Ｆａの嵌合部１５１における一端内向部１５ａと他端内向部１５ｆの内向きに折り返す位置を変えるとともに、それぞれ、その折り返す角度を９０度〜１８０度の範囲で調整して当接部１５５とした外枠用縦枠材３Ｆｅとしてもよく、図１７（ｄ）に示すように、図１５の外枠用縦枠材３Ｆｂの当接部１５２のうちの他端内向部１５ｆを、折り目１６ｂにて単に内向きの角度を約１３５度として折り返して形成した構造の当接部１５６とした外枠用縦枠材３Ｆｆとしてもよい。
【００５０】
このように本実施形態は、一端側縁部（一端内向部１５ａ）と他端側縁部（他端内向部１５ｆ）の形態を、前面枠の取付凸部に対応させ、外枠用縦枠材３Ｆの一端側縁部と他端側縁部を含む嵌合部又は当接部と前面枠の取付凸部との間で取付可能な状態（構造）を可能とするものであるから、一端側縁部と他端側縁部の長手方向に沿って内向きに折り返される角度とその形態は、無数のバリエーションを取りうるものとなる。
【００５１】
したがって、本実施形態に係る外枠用縦枠材３Ｆ（３Ｆａ，３Ｆｂ，３Ｆｃ，３Ｆｄ，３Ｆｅ，３Ｆｆ）は、金属板１０の一端内向部１５ａと他端内向部１５ｆとが、長手方向に沿って内向きかつ９０度〜１８０度の範囲で折り返された構造を有し、この折り返された部位にて前面枠７との間で多様な取付状態（取付構造）を形成することができる。これにより、外枠用縦枠材３Ｆを採用したパチンコ機用外枠１Ｆは、ピアノ線等を遊技機取付内部に侵入させることを困難として不正解錠防止に資するものになる。
【００５２】
以上、本発明に係るいくつかの実施形態を詳述したが、本発明は上記実施形態に限定されるものではない。そして本発明は、特許請求の範囲に記載された事項を逸脱することがなければ、種々の設計変更を行うことが可能である。例えば、上記第一実施形態乃至第四実施形態においては、長手方向の複数回の折り曲げを開始する位置に関し、パチンコ機用外枠を組立てる際に内側となる位置から開始したが、パチンコ機用外枠を組立てる際に後側（図１において後側側部１２）の位置から開始しても、一端側縁部と他端側縁部の両端側縁部同士を機械的接合若しくは冶金的接合の適宜の手段により接合することで、大型の遊技機を嵌め込むのに求められる強度を十分に確保できる。なお、本発明に係るパチンコ機用外枠の横枠材に関し、本発明に係る外枠用縦枠材と同様に矩形の金属板を複数回折り曲げて構成すれば、さらに強度が増すものとなる。このほか、本発明は、要請される強度を備えるものとする限り、接触部の少なくとも１箇所又は、一端側縁部と他端側縁部とからなる両端側縁部同士の少なくとも一方が、機械的接合若しくは冶金的接合されていれば、その範囲に含まれるものである。さらにいえば、本発明は、一枚の矩形の金属板を複数回折り曲げて構成し、短手方向の所定位置から長手方向に沿って折り返し、重ね合わせることによって、間に空間を有する空隙部と面接触している接触部とからなる塑性加工部を有する２枚重ね部位を形成したものである限り、一端側縁部と他端側縁部とが一側に集合し、かつ長手方向に沿って内向きに折り返して構成すれば、その範囲に含まれるようになるものである。そして、塑性加工部を有する構成等、本発明によるによる強度向上は、本発明に係るパチンコ機の外枠用縦枠材を備えた遊戯機台のバールなどによるこじ開ける等の不正を防ぐ効果まで得られる可能性がある。
【符号の説明】
【００５３】
１Ａ，１Ｂ，１Ｃ，１Ｅ，１Ｆ  パチンコ機用外枠
１０    金属板
１１ａ  金属板の一端
１１ｂ  金属板の他端
１２ａ  一端側縁部
１２ｂ  中間部
１２ｃ  内側側部
１２ｄ  外側側部
１２ｅ  後側側部
１２ｆ  他端側縁部
１４ａ，１４ｂ，１４ｃ，１４ｄ，１４ｅ  折り目
１５１，１５３  嵌合部
１５２，１５４，１５５，１５６  当接部
１５ａ  一端内向部
１５ｂ  内側側部
１５ｃ  第１段部
１５ｄ  第２段部
１５ｅ  外側側部
１５ｆ  他端内向部
１６ａ，１６ｂ  折り目
２      横枠材
３Ａ，３Ｂ，３Ｃ，３Ｅ，３Ｆ  縦枠材
３Ｆａ，３Ｆｂ，３Ｆｃ，３Ｆｄ，３Ｆｅ，３Ｆｆ  縦枠材
３Ａａ，３Ａｂ，３Ｂａ，３Ｃａ，３Ｅａ  接触部
３Ａｃ，３Ｂｂ，３Ｃｂ，３Ｅｂ  空隙部
３０    かしめ（一端側縁部と他端側縁部との重ね合わせた箇所のかしめ）
３１    ２枚重ね部位
３Ｊ    かしめ（接触部のかしめ）
４１，４２  結合具
５      被係止部材
５ａ    被取付部
５ｂ    被係止部
５ｃ    ビス孔
６      前板部材
７      前面枠
７１，７１ａ，７１ｂ  取付凸部
【図１】
0005729705.tif 000002
【図２】
0005729705.tif 000003
【図３】
0005729705.tif 000004
【図４】
0005729705.tif 000005
【図５】
0005729705.tif 000006
【図６】
0005729705.tif 000007
【図７】
0005729705.tif 000008
【図８】
0005729705.tif 000009
【図９】
0005729705.tif 000010
【図１０】
0005729705.tif 000011
【図１１】
0005729705.tif 000012
【図１２】
0005729705.tif 000013
【図１３】
0005729705.tif 000014
【図１４】
0005729705.tif 000015
【図１５】
0005729705.tif 000016
【図１６】
0005729705.tif 000017
【図１７】
0005729705.tif 000018